(57)【特許請求の範囲】
【請求項１】
天井埋込型照明器具であって、
外側面の下端にねじ山が形成されると共に内側面に段差部が形成された円筒形の照明ボディーと、
前記照明ボディー内に収容され、発光素子を含む光源部と、
前記段差部の上に位置し、前記光源部が結合される放熱板と、
内側面にねじ山が形成されて前記照明ボディーの前記ねじ山に締結されるリング状のキャップと、
を含み、前記照明ボディーおよび前記放熱板は、前記照明ボディーの前記段差部の上に形成されたねじ山に対して前記放熱板の外側に形成されたねじ山を締結することにより、互いに結合されることを特徴とする天井埋込型照明器具。
【請求項２】
前記照明ボディーの外側面から内側に長手方向の複数のばねガイド溝が形成され、
前記天井埋込型照明器具は、
前記ばねガイド溝に挿入される挿入部と、前記照明ボディーを天井に支持するために、前記挿入部と連結され、前記ばねガイド溝から突出する支持部とを含む板ばねをさらに含むことを特徴とする請求項１に記載の天井埋込型照明器具。
【請求項３】
前記照明ボディーは、前記挿入部の離脱を防止するために、前記ばねガイド溝の前面の全部又は一部を遮断する前方遮断部を有することを特徴とする請求項２に記載の天井埋込型照明器具。
【請求項４】
前記支持部は、前記ばねガイド溝の側部を通じて延びることを特徴とする請求項３に記載の天井埋込型照明器具。
【請求項５】
前記支持部は、水平面から上向きに傾斜状態で先細りにされることを特徴とする請求項４に記載の天井埋込型照明器具。
【請求項６】
前記支持部は、前記ばねガイド溝の下端を通じて延びることを特徴とする請求項３に記載の天井埋込型照明器具。
【請求項７】
前記挿入部は、一つ以上の折り曲げ部を有することを特徴とする請求項４から請求項６の何れかに記載の天井埋込型照明器具。
【請求項８】
前記板ばねは、前記挿入部と前記支持部との間の“Ｕ”字状に折れ曲がった連結部を有することを特徴とする請求項６に記載の天井埋込型照明器具。
【請求項９】
前記支持部は、前記連結部と連結され、上方に膨らんだラウンド部を有することを特徴とする請求項８に記載の天井埋込型照明器具。
【請求項１０】
前記支持部は、一つ以上の折り曲げ部を有することを特徴とする請求項８に記載の天井埋込型照明器具。
【請求項１１】
前記支持部の端部は、鉤状の係止部を有することを特徴とする請求項８に記載の天井埋込型照明器具。
【請求項１２】
前記照明ボディーと前記キャップとの間のカバーレンズをさらに含むことを特徴とする請求項１から請求項６の何れかに記載の天井埋込型照明器具。
【請求項１３】
前記カバーレンズは、前記キャップの内側面から突出する突出部により支持されることを特徴とする請求項１２に記載の天井埋込型照明器具。
【請求項１４】
前記照明ボディーの内側面には、複数のねじ溝が形成されることを特徴とする請求項１から請求項６の何れかに記載の天井埋込型照明器具。
【請求項１５】
前記光源部と結合される放熱板をさらに含み、
前記放熱板は、前記照明ボディーの内側面に形成された段差部上に載置され、
前記ばねガイド溝の上端は、前記段差部と同じ高さで形成され、
前記板ばねの端部は、前記放熱板と接することを特徴とする請求項２から請求項６の何れかに記載の天井埋込型照明器具。
【請求項１６】
前記発光素子は、ＯＬＥＤ、ＬＥＤ、ＬＤのうち一つ以上を含むことを特徴とする請求項１から請求項６の何れかに記載の天井埋込型照明器具。
【発明の詳細な説明】
【技術分野】
【０００１】
本発明は、天井に埋め込むことができるように構成された天井埋込型照明器具に関する。
【背景技術】
【０００２】
一般に、天井埋込型照明器具は、２インチ、３インチ、４インチ、４．５インチ、５インチ、６インチ、８インチ、１０インチなど天井の埋込孔の直径によって照明器具の円筒の直径の大きさを異なるようにする。
【０００３】
例えば、６インチの照明器具は、天井埋込孔の６インチの直径に装着できなければならないため、実務上、６インチの照明器具の直径は、これより小さくなければ、天井に固定できない。照明器具から発光する光の配光効率を高めるためには、照明器具の円筒の直径を極力大きくすることが好ましい。
【０００４】
従来の照明器具は、コイルばね、板ばね、固定ブラケットなどが照明器具の円筒の外側面に付着されるため、これらの体積によって相対的に照明器具の円筒の直径が小さくなり、これによって、カバーレンズの面積も狭くなり、照明器具から発光される光の配光効率に限界があった。
【０００５】
また、照明器具を天井に固定するためのばねの組立時に、ねじ、リベットなどの部品が必要とされる。そのため、組立時間及びコストが増加するという問題点があった。
【発明の概要】
【０００６】
したがって、本発明の目的は、上記の事情を勘案して発明したもので、照明器具の円筒の直径を大きくして、配光効率を高め、組立が簡単な天井埋込型照明器具を提供しようとすることにある。
【０００７】
前述した目的を達成するための本発明の一側面による天井埋込型照明器具は、外側面の下端にねじ山が形成されると共に内側面に段差部が形成された円筒形の照明ボディーと、前記照明ボディー内に収容され、発光素子を含む光源部と、前記段差部の上に位置し、前記光源部が結合される放熱板と、内側面にねじ山が形成されて前記照明ボディーの前記ねじ山に締結されるリング状のキャップと、を含み、前記照明ボディーおよび前記放熱板は、前記照明ボディーの前記段差部の上に形成されたねじ山に対して前記放熱板の外側に形成されたねじ山を締結することにより、互いに結合されることを特徴とする。
【０００８】
また、前記照明ボディーの外側面から内側に長手方向の複数のばねガイド溝が形成され、前記天井埋込型照明器具は、前記ばねガイド溝に挿入される挿入部と、前記照明ボディーを天井に支持するために、前記挿入部と連結され、前記ばねガイド溝から突出する支持部とを含む板ばねをさらに含む。
【０００９】
また、前記照明ボディーは、前記挿入部の離脱を防止するために、前記ばねガイド溝の前面の全部又は一部を遮断する前方遮断部を有する。
【００１０】
また、前記支持部は、前記ばねガイド溝の側部を通じて延びる。
【００１１】
また、前記支持部は、水平面から上向きに傾斜状態で先細りにされる。
【００１２】
また、前記支持部は、前記ばねガイド溝の下端を通じて延びる。
【００１３】
また、前記挿入部は、一つ以上の折り曲げ部を有する。
【００１４】
また、前記板ばねは、前記挿入部と前記支持部との間に“Ｕ”字状に折れ曲がった連結部を有する。
【００１５】
また、前記支持部は、前記連結部と連結され、上方に膨らんだラウンド部を有する。
【００１６】
また、前記支持部は、一つ以上の折り曲げ部を有する。
【００１７】
また、前記支持部の端部は、鉤状の係止部を有する。
【００１８】
また、前記照明ボディーと前記キャップとの間にカバーレンズをさらに含む。
【００１９】
また、前記カバーレンズは、前記キャップの内側面から突出する突出部により支持される。
【００２０】
また、前記照明ボディーの内側面には、複数のねじ溝が形成される。
【００２３】
また、前記光源部と結合される放熱板をさらに含み、前記放熱板は、前記照明ボディーの内側面に形成された段差部上に載置され、前記ばねガイド溝の上端は、前記段差部と同じ高さで形成され、前記板ばねの端部は、前記放熱板と接する。
【００２４】
また、前記発光素子は、ＯＬＥＤ、ＬＥＤ、ＬＤのうち一つ以上を含む。
【図面の簡単な説明】
【００２９】
【図１】本発明の実施例に係る天井埋込型照明器具を概略的に示す図である。
【図２】図１の天井埋込型照明器具の照明ボディーの実施例を示す斜視図である。
【図３】図１の天井埋込型照明器具のキャップの実施例を示す斜視図である。
【図４】図１の天井埋込型照明器具のヒートシンクの実施例を示す平面図である。
【図５Ａ】図１の天井埋込型照明器具の板ばねの実施例を示す斜視図である。
【図５Ｂ】図５Ａの板ばねの平面図である。
【図６】図５Ａの板ばねが照明ボディーのばねガイド溝に挿入された状態を示す正断面図である。
【図７】図５Ａの板ばねが照明ボディーのばねガイド溝に挿入された状態を示す斜視図である。
【図８】本発明の他の実施例に係る天井埋込型照明器具を概略的に示す図である。
【図９】図１の天井埋込型照明器具の照明ボディーの他の実施例を示す斜視図である。
【図１０】図１の天井埋込型照明器具の板ばねの他の実施例を示す斜視図である。
【図１１】図１０の板ばねが、図９の照明ボディーに挿入された状態を示す平断面図である。
【図１２】図１０の板ばねが、図９の照明ボディーに挿入された状態を示す正面図である。
【発明を実施するための形態】
【００３０】
以下、添付の図面を参照して、本発明の好適な実施例に対する構成及び作用を詳細に説明すると、次の通りである。ここで、各図面の構成要素に対して参照符号を付与することにおいて、同一の構成要素に限っては、たとえ他の図上に表示されても可能な限り同一の符号で表記したことに留意すべきである。
【００３１】
第１実施例
図１は、本発明の実施例に係る天井埋込型照明器具を概略的に示す図である。図２は、図１の天井埋込型照明器具の照明ボディーの実施例を示す斜視図である。図３は、図１の天井埋込型照明器具のキャップの実施例を示す斜視図である。図４は、図１の天井埋込型照明器具のヒートシンクの実施例を示す平面図である。図５Ａは、図１の天井埋込型照明器具の板ばねの実施例を示す斜視図である。図５Ｂは、図５Ａの板ばねの平面図である。図６は、図５Ａの板ばねが、照明ボディーのばねガイド溝に挿入された状態を示す正断面図である。図７は、図５Ａの板ばねが、照明ボディーのばねガイド溝に挿入された状態を示す斜視図である。図２、図３、図６において照明ボディー及びキャップに形成されるねじ山は省略した。
【００３２】
天井埋込型照明器具（以下、照明器具）は、天井に埋め込んで、下方へ光を発光できるように構成された照明器具である。照明器具は、２インチ、３インチ、４インチ、４．５インチ、５インチ、６インチ、８インチ、１０インチなど天井埋込孔の直径に合わせて作製される。例えば、６インチの照明器具は、天井埋込孔の６インチの直径に装着できなければならないので、実務上、６インチの照明器具の直径は、これより小さくなければ、天井に固定できない。照明器具において発光素子から発光する光の配光効率を高めるためには、照明ボディーの直径を極力大きくすることが好ましい。
【００３３】
図１を参照すると、本実施例に係る照明器具１００は、照明ボディー１１０、光源部１２０、キャップ１３０、カバーレンズ１４０、板ばね１５０、放熱板１６０、ヒートシンク１７０を含む。
【００３４】
照明ボディー１１０は、円筒形に形成され、厚さを有し、その内側に光源部１２０、放熱板１６０などを収容する。照明ボディー１１０の外側面の下端には、キャップ１３０と結合されるためのねじ山１１４が形成される。
【００３５】
照明ボディー１１０の外側面から内側に複数のばねガイド溝１１１が形成される（図２参照）。ばねガイド溝１１１は、照明ボディー１１０の長手方向に延びる。ばねガイド溝１１１には、照明器具１００を天井仕上げ材に固定して支持するための板ばね１５０が挿入される。
【００３６】
照明ボディー１１０は、ばねガイド溝１１１に挿入された板ばね１５０が離脱することを防止するために、ばねガイド溝１１１の前面の全部又は一部を遮断する前方遮断部１１１ａを有する。図２には、ばねガイド溝１１１の前面の一部を遮断する前方遮断部１１１ａが示されているが、ばねガイド溝１１１の前面が完全に遮断されてもよい。このような場合、板ばね１５０は、照明ボディー１１０の下端から挿入されなければならない。
【００３７】
照明ボディー１１０の内側面には、複数のねじ溝１１２が形成される。ねじ溝１１２はＣ形状に形成されることができる。ねじ溝１１２には、照明ボディー１１０、印刷回路基板１２２、放熱板１６０、ヒートシンク１７０などを締結するためのねじが挿入される。これは、別途のねじの加工を不要とすることによって、ねじの加工コストを節減する効果がある。
【００３８】
また、照明ボディー１１０は、段差部１１３を有する。このような段差部１１３上には、放熱板１６０が載置されることができる。ねじ溝１１２及びばねガイド溝１１１の上端は、段差部１１３と同じ高さで形成されることが好ましい。
【００３９】
光源部１２０は、照明ボディー１１０内に収容されて光を発光する。光源部１２０は、光を発光する発光素子１２１と、このような発光素子１２１が実装される印刷回路基板１２２とを含むことができる。前記発光素子１２１は、ＬＥＤ（ｌｉｇｈｔ  ｅｍｉｔｔｉｎｇ  ｄｉｏｄｅ）、ＯＬＥＤ（ｏｒｇａｎｉｃ  ｌｉｇｈｔ  ｅｍｉｔｔｉｎｇ  ｄｉｏｄｅ）、ＬＤ（ｌａｓｅｒ  ｄｉｏｄｅ）のうち一つ以上を含むことができる。好ましくは、前記発光素子１２１は、ＬＥＤであってもよい。
【００４０】
キャップ１３０は、リング形状からなり、照明ボディー１１０の外側面に形成されたねじ山１１４と締結されるように内側面にねじ山１３１を有する。キャップ１３０と照明ボディー１１０は、ねじ山１１４，１３１によって互いに締結される。キャップ１３０は、カバーレンズ１４０を支持するための突出部１３２を有する。
【００４１】
キャップ１３０は、照明器具１００を天井に埋め込むとき、テクスタイル、合板、石こうボードなどの天井仕上げ材の外部に露出される部分となる。照明器具１００は、天井仕上げ材の内側に位置する板ばね１５０と、天井仕上げ材の外側に突出したキャップ１３０とによって天井埋込孔に固定されることができる。
【００４２】
照明器具１００が天井に取り付けられた状態において、照明ボディー１１０は、天井埋込孔の中に入り、キャップ１３０は、天井面に接する状態となる。また、キャップは、突出部１３２によりカバーレンズ１４０を支持して装着する役割をする。
【００４３】
カバーレンズ１４０は、照明ボディー１１０とキャップ１３０との間に位置し、発光素子１２１から発光される光を拡散させる。照明ボディー１１０とキャップ１３０との間にカバーレンズ１４０を介在し、照明ボディー１１０とキャップ１３０を回して組み立てることができる。照明ボディー１１０とキャップ１３０とはねじ山により結合されるので、ねじ山の移送範囲内でカバーレンズ１４０の厚さに関係なく、照明ボディー１１０とキャップ１３０との間にカバーレンズ１４０を固定させることができる。
【００４４】
カバーレンズ１４０は、ガラスで作製されたり、ポリカーボネート、アクリルなどのプラスチックで作製されてもよい。カバーレンズ１４０は、キャップ１３０の突出部１３２により支持されることができる。
【００４５】
放熱板１６０は、光源部１２０と結合され、発光素子１２１から発散される熱を伝導により放熱させる役割をする。放熱板１６０は、照明ボディー１１０の段差部１１３上に載置されることができる。これとは異なり、光源部１２０の印刷回路基板１２２が段差部１１３上に載置され、その上に放熱板１６０が載置される構造も可能である。
【００４６】
ヒートシンク１７０は、放熱板１６０上に位置し、放熱板１６０に伝達された熱をさらに放熱させる役割をする。図４を参照すると、ヒートシンク１７０は、熱伝達面積を広めるために多様な形状に作製されることができる。ヒートシンク１７０は、照明ボディー１１０のねじ溝１１２に対応するねじ溝１７１を備えることができる。
【００４７】
図５Ａ及び図５Ｂを参照すると、板ばね１５０は、挿入部１５１、連結部１５２及び支持部１５３を有する。
【００４８】
挿入部１５１は、照明ボディー１１０のばねガイド溝１１１に挿入される部分である。挿入部１５１は、ばねガイド溝１１１に上から下に挿入されることができる。挿入部１５１は、一つ以上の折り曲げ部１５１ａを有することができる。このような折り曲げ部１５１ａは、板ばね１５０の厚さが薄い場合にも、挿入部１５１がばねガイド溝１１１に堅固に固定可能なようにする。
【００４９】
連結部１５２は、挿入部１５１と支持部１５３間の連結を担当する部分である。連結部１５２は、“Ｕ”字状に折れ曲がり、板ばね１５０全体の弾性及び剛性を高める。連結部１５２は、板ばね１５０の支持部１５３が、ばねガイド溝１１１の下端から抜け出ることができるように、幅が小さくなる幅縮小部１５２ａを有する。
【００５０】
支持部１５３は、照明ボディー１１０を天井に支持するために、ばねガイド溝１１１から突出して、略水平方向に延びる。支持部１５３は、照明器具１００を天井仕上げ材に形成された天井埋込孔に取り付けるとき、天井仕上げ材の上側に延びて照明器具１００を支持することになる。
【００５１】
支持部１５３は、連結部１５２と連結される部分に、上方に膨らんだラウンド部１５３ａを有する。このようなラウンド部１５３ａは、天井仕上げ材の厚さに関係なく、板ばね１５０が天井仕上げ材に固定可能なようにする。
【００５２】
支持部１５３は、剛性を高める役割をする一つ以上の折り曲げ部１５３ｂを有することができる。一方、支持部１５３の端部は、鉤状の係止部１５３ｃを有する。このような係止部１５３ｃは、地震などにより天井に装着した照明器具１００が落下する場合、最終的に天井仕上げ材に係止されるようにした部分であって、照明器具１００の落下による被害を防止する。
【００５３】
従来の照明器具は、コイルばね、板ばね、固定ブラケットなどが照明ボディーの外側面に付着されるため、ばねやブラケットを付着するための空間的な体積を必要とするため、相対的に照明ボディーの直径が小さくなる。これによって、カバーレンズの面積も狭くなるため、照明器具から発光される光の配光効率に限界があった。また、照明器具を天井に固定するためのばねの組立時に、ねじ、リベットなどの部品を必要とし、これによって組立時間及びコストが増加された。
【００５４】
上述した本実施例によれば、照明ボディー１１０の外側面に形成されたねじ山と、キャップ１３０の内側面に形成されたねじ山との結合により、照明ボディー１１０とキャップ１３０とが結合されるので、照明ボディー１１０とキャップ１３０との間に位置したカバーレンズ１４０の直径は、キャップ１３０の内径(すなわち、照明ボディー１１０の外径)とほぼ一致するように大きくすることができる。したがって、発光素子１２１から発光される光が、カバーレンズ１４０を通じて放出される面積を極力大きくすることができるので、配光効率が向上する。
【００５５】
また、照明器具１００を天井仕上げ材に固定させるための板ばね１５０は、照明ボディー１１０の内側面に形成されたばねガイド溝１１１に挿入され、照明ボディー１１０の外側に延びる。また、板ばね１５０の上端部は、段差部１１３上に載置される放熱板１６０により固定されることができる。
【００５６】
それによって、照明ボディー１１０の外径及びカバーレンズ１４０の直径を大きくすることができるので、配光効率が向上する。また、板ばね１５０を照明ボディー１１０に組み立てるために、ねじ、リベットなどの部品を必要とせず、照明ボディー１１０に対する板ばね１５０の組立が簡単で且つ迅速に行われることができる利点がある。また、放熱板１６０は、金属材の板ばね１５０と接触するので、板ばね１５０を通じてさらに放熱される利点がある。
【００５７】
また、発光素子１２１から発散される熱は、放熱板１６０、板ばね１５０及びヒートシンク１７０を通じて照明器具１００全体に放熱されるので、発光素子１２１の信頼性を向上させることができる。
【００５８】
第２実施例
図８は、本発明の他の実施例に係る天井埋込型照明器具を概略的に示す図である。図１に示された天井埋込型照明器具と同一の部分には同一の符号を付し、重複説明は省略する。
【００５９】
本実施例で、照明ボディー２１０の内側面には、段差部２３１上にねじ山２１４が形成される。また、放熱板２６０の外側面にもねじ山２６１が形成され、放熱板２６０は、照明ボディー２１０の段差部２３１上に載置された状態で、ねじ山２１４との結合により固定されることができる。これは、放熱板２６０が照明ボディー２１０に簡単な方法で密着組立が可能なようにする。
【００６０】
照明ボディー２１０の段差部２３１上に印刷回路基板１２２が載置され、印刷回路基板１２２上に放熱板２６０が載置されて、照明ボディー２１０と放熱板２６０とがねじ山により結合されてもよい。
【００６１】
第３実施例
図９は、図１の天井埋込型照明器具の照明ボディーの他の実施例を示す斜視図である。図１０は、図１の天井埋込型照明器具の板ばねの他の実施例を示す斜視図である。図１１は、図１０の板ばねが、図９の照明ボディーに挿入された状態を示す平断面図である。図１２は、図１０の板ばねが、図９の照明ボディーに挿入された状態を示す正面図である。図９において照明ボディーに形成されるねじ山は省略した。
【００６２】
照明ボディー３１０は、円筒形に形成され、厚さを有し、その内側に光源部、放熱板などを収容する。照明ボディー３１０の外側面から内側に複数のばねガイド溝３１１が形成される。ばねガイド溝３１１は、照明ボディー３１０の長手方向に延びる。ばねガイド溝３１１には、照明器具全体を天井に固定して支持するための板ばね３５０が挿入される。
【００６３】
照明ボディー３１０は、ばねガイド溝３１１に挿入された板ばね３５０が離脱することを防止するために、ばねガイド溝３１１の前面の一部を遮断する前方遮断部３１１ａを有する。
【００６４】
照明ボディー３１０の内側面には、複数のねじ溝３１２が形成される。ねじ溝３１２は、Ｃ形状に形成されることができる。ねじ溝３１２には、照明ボディー３１０、印刷回路基板、放熱板、ヒートシンクなどを締結するためのねじが挿入される。
【００６５】
また、照明ボディー３１０は、段差部３１３を有する。このような段差部３１３上には放熱板が載置されることができる。ねじ溝３１２及びばねガイド溝３１１の上端は、段差部３１３と同じ高さで形成されることが好ましい。
【００６６】
板ばね３５０は、挿入部３５１と支持部３５２を有する。
【００６７】
挿入部３５１は、照明ボディー３１０のばねガイド溝３１１に挿入される部分である。挿入部３５１は、一つ以上の折り曲げ部３５１ａを有することができる。このような折り曲げ部３５１ａは、挿入部３５１がばねガイド溝３１１に堅固に固定可能なようにする。
【００６８】
支持部３５２は、照明ボディー３１０を天井に支持するために、ばねガイド溝３１１の側面に突出して延びる。支持部３５２は、照明器具を天井仕上げ材に形成された天井埋込孔に取り付けるとき、天井仕上げ材の上側に延びて照明器具を支持することになる。
【００６９】
支持部３５２は、挿入部３５１がばねガイド溝３１１に挿入された状態で弾性的に曲がることができる。
【００７０】
図１０及び図１２を参照すると、支持部３５２は、水平面から上向きに傾斜状態で先細りにされる。これは、板ばね３５０がばねガイド溝３１１に挿入された状態で、天井仕上げ材の上側に延びることができるようにするためである。また、一定範囲で天井仕上げ材の厚さが変わる場合にも、支持部３５２の傾斜角度により天井仕上げ材の上側に延びることができる。
【００７１】
本実施例では、板ばね３５０の支持部３５２が、ばねガイド溝３１１の側面に突出して延びる。これによって、照明器具が衝撃を受けても、支持部３５２が弾性的に曲がる方向と照明器具が落下する方向とが異なるので、このような支持部３５２によって、照明器具が落下することが防止される。
【００７２】
本発明は、上記した実施例に限定されず、本発明の技術的要旨を逸脱しない範囲内で多様に修正又は変形されて実施できるということは、本発明の属する技術分野における通常の知識を有する者にとって自明である。
【産業上の利用可能性】
【００７３】
本発明によれば、照明器具の円筒の直径を大きくして配光効率を高め、組立が簡単な天井埋込型照明器具を提供することができる。
【図１】
0005513673.tif 000002
【図２】
0005513673.tif 000003
【図３】
0005513673.tif 000004
【図４】
0005513673.tif 000005
【図５Ａ】
0005513673.tif 000006
【図５Ｂ】
0005513673.tif 000007
【図６】
0005513673.tif 000008
【図７】
0005513673.tif 000009
【図８】
0005513673.tif 000010
【図９】
0005513673.tif 000011
【図１０】
0005513673.tif 000012
【図１１】
0005513673.tif 000013
【図１２】
0005513673.tif 000014